(57)【要約】【課題】所定の数の錠剤を取り出すための計量容器を得る。【解決手段】計量容器（１）は、それぞれが所定の数の錠剤を収納できる複数の収納部（２０３）を備える収納容器（２）と、錠剤を一端から他端に通過させることができる第２経路（４０２）を有し、収納容器（２）に装着される収納部選択部（４）とを備える。収納部選択部（４）の第２経路（４０２）の一端は、外部に接続され、他端は、収納部（２０３）のうちの１つに選択的に接続される。【選択図】図６
2020179861.tif 000002
【特許請求の範囲】
【請求項１】
所定の数の錠剤を取り出すための計量容器であって、
それぞれが所定の数の錠剤を収納できる複数の収納部を備える収納容器と、
錠剤を一端から他端に通過させることができる第２経路を有し、収納容器に装着される収納部選択部とを備え、
収納部選択部の第２経路の一端は、外部に接続され、他端は、収納部のうちの１つに選択的に接続される、
計量容器。
【請求項２】
収納容器の複数の収納部は、中心軸を中心として周方向に配列され、
各収納部は、軸方向に一列に並んだ所定の数の錠剤が収まる寸法を有する、
請求項１に記載の計量容器。
【請求項３】
請求項１又は２に記載の計量容器に錠剤を装填するために用いられる装填治具であって、
収納容器の収納部に外部からの錠剤を通過させることができるように接続される第１経路を備え、
収納容器に着脱可能に装着される、
装填治具。
【請求項４】
第１経路を介して外部からの錠剤を通過させる開状態と、第１経路を介して外部からの錠剤を通過させない閉状態と、を切り換える開閉部を更に備え、
開閉部は、装填治具を収納容器から取り外す動作によって閉状態となる、
請求項３に記載の装填治具。
【請求項５】
錠剤の容器に着脱可能に装着され、
第１経路を介して、収納容器の収納部と、錠剤の容器の内部と、を接続する、
請求項３又は４に記載の装填治具。
【請求項６】
装填治具の開閉部は、
中心軸を中心として周方向に配列された、複数の収納部と同数の第３経路と、周方向に隣接する第３経路の間にあるストッパとを有し、
装填治具を収納容器から取り外す動作によって中心軸を中心として回転し、ストッパを第１経路に軸方向に隣接して配置して第１経路を塞ぐ、
請求項４又は５に記載の装填治具。
【請求項７】
請求項１に記載の計量容器と、請求項３に記載の装填治具と、を含む計量容器キット。
【発明の詳細な説明】
【技術分野】
【０００１】
本発明は、所定の数の錠剤を取り出すための計量容器、装填治具、及び計量容器キットに関する。
【背景技術】
【０００２】
容器内の内容物を所定の数だけ取り出すための容器や容器のキャップの需要は高く、様々な容器及びキャップが開発されてきた。例えば、特許文献１及び特許文献２は、容器内に収容された錠剤を決まった数量だけ一度に取り出すことができる定量取り出し錠剤容器を開示している。
【先行技術文献】
【特許文献】
【０００３】
【特許文献１】特開２０１５−６７３０８号公報
【特許文献２】特開２０１９−４３５９０号公報
【発明の概要】
【発明が解決しようとする課題】
【０００４】
例えば医薬品の用量に関して、６錠以上の多数の錠剤を一度に服用すべき場合がある。しかしながら、特許文献１は例えば３錠の錠剤を一度に取り出す定量取出容器を開示し、特許文献２は例えば５錠の錠剤を一度に取り出す定量取出容器を開示しているに過ぎない。特許文献１及び特許文献２の定量取出容器を設計変更して、６錠以上の多数の錠剤を一度に取り出すものとすることは、定量取出容器を大きなものとせざるを得ず、困難である。
【０００５】
本発明は、上記の課題を解決するためになされたものであり、所定の数の錠剤を取り出すための計量容器を提供することを目的とする。
【課題を解決するための手段】
【０００６】
本発明の一態様は、所定の数の錠剤を取り出すための計量容器を提供する。計量容器は、それぞれが所定の数の錠剤を収納できる複数の収納部を備える収納容器と、錠剤を一端から他端に通過させることができる第２経路を有し、収納容器に装着される収納部選択部とを備える。収納部選択部の第２経路の一端は、外部に接続され、他端は、収納部のうちの１つに選択的に接続される。
【０００７】
本発明の他の態様は、上記の態様の計量容器に錠剤を装填するために用いられる装填治具を提供する。装填治具は、収納容器の収納部に外部からの錠剤を通過させることができるように接続される第１経路を備える。装填治具は、収納容器に着脱可能に装着される。
【０００８】
本発明の更に他の態様は、上記の態様の計量容器と、上記の態様の装填治具と、を備える計量容器キットを提供する。
【発明の効果】
【０００９】
本発明により、容器の内容物を所定の数だけ取り出すことができる計量容器を得る。
【図面の簡単な説明】
【００１０】
【図１】本発明の実施形態に係るポケットパーツ及び装填治具が錠剤容器に装着された状態を示す斜視図である。
【図２】図１に示したポケットパーツ、装填治具及び錠剤容器の分解斜視図である。
【図３】本実施形態に係るポケットパーツの分解斜視図である。
【図４】本実施形態に係る装填治具の分解斜視図である。
【図５】本実施形態に係る計量容器を示す斜視図である。
【図６】図５の計量容器の分解斜視図である。
【図７】組立て動作を説明するための図である。
【図８】錠剤装填動作を説明するための図である。
【図９】図８のポケットパーツ、装填治具及び錠剤容器を、図８の紙面の下方から見た底面図である。
【図１０】図９のポケットパーツ、装填治具及び錠剤容器をＸ−Ｘ方向に見た断面図である。
【図１１】分離動作を説明するための図である。
【図１２】分離動作を説明するための図である。
【図１３】分離動作を説明するための図である。
【図１４】分離動作を説明するための図である。
【図１５】分離動作を説明するための図である。
【図１６】分離動作を説明するための図である。
【図１７】ヒンジキャップの取付動作を説明するための図である。
【図１８】図１７に示したようにポケットパーツの上からヒンジキャップを被せた状態を示す斜視図である。
【図１９】図１８に示した計量容器の平面図である。
【図２０】図１８に示した計量容器の正面図の一部である。
【図２１】図２０のヒンジキャップ４をＸＸＩ−ＸＸＩ方向に見た端面図である。
【図２２】図２０のヒンジキャップ４をＸＸＩＩ−ＸＸＩＩ方向に見た端面図である。
【図２３】図１９の計量容器をＸＸＩＩＩ−ＸＸＩＩＩ方向に見た端面図である。
【図２４】図１９の状態からヒンジキャップ４をポケットパーツ２に対して時計回りに９０°回転させた後の計量容器の状態を示す斜視図である。
【図２５】図２４に示した計量容器の平面図である。
【図２６】図２４に示した計量容器の正面図の一部である。
【図２７】図２６のヒンジキャップ４をＸＸＶＩＩ−ＸＸＶＩＩ方向に見た端面図である。
【図２８】図２６のヒンジキャップ４をＸＸＶＩＩＩ−ＸＸＶＩＩＩ方向に見た端面図である。
【図２９】図２５の計量容器をＸＸＩＸ−ＸＸＩＸ方向に見た端面図である。
【図３０】使用動作を説明するための図である。
【図３１】使用動作を説明するための図である。
【図３２】使用動作を説明するための図である。
【図３３】使用動作を説明するための図である。
【図３４】使用動作を説明するための図である。
【図３５】使用動作を説明するための図である。
【図３６】使用動作を説明するための図である。
【図３７】本実施形態の変形例１に係るポケットパーツの内筒を示す斜視図である。
【発明を実施するための形態】
【００１１】
以下、本発明の実施形態に係る計量容器及び装填治具について、図面を参照して説明する。本発明の実施形態に係る計量容器は、ポケットパーツとヒンジキャップとを含む。各実施形態において、同一の構成には同一の符号を付して、説明を省略する。
【００１２】
［１．構造］
［１−１．概要］
図１は、本発明の実施形態に係るポケットパーツ２及び装填治具３が錠剤容器９に装着された状態を示す斜視図である。図２は、ポケットパーツ２、装填治具３及び錠剤容器９の分解斜視図である。
【００１３】
図１及び図２には、説明の便宜のため、中心軸Ｃを示している。本明細書では、中心軸Ｃに平行な方向を軸方向と、軸方向に垂直な方向を径方向と、中心軸Ｃを中心とする円周方向を周方向と呼ぶ。軸方向について、紙面に向かって上向きの方向を正とする。軸方向の正方向を上方向、軸方向の負方向を下方向とも呼ぶ。
【００１４】
装填治具３は、ねじによって錠剤容器９に着脱可能に装着される。ポケットパーツ２は、装填治具３に嵌め合わされて装着される。ポケットパーツ２は、本開示の「収納容器」の一例である。錠剤容器９内には例えば錠剤が収納される。錠剤は、本開示の「内容物」の一例である。図１に示すようにポケットパーツ２、装填治具３及び錠剤容器９が組み立てられた状態において、これらを倒立させると、錠剤容器９内の錠剤がポケットパーツ２に装填される。
【００１５】
［１−２．ポケットパーツ］
図３は、ポケットパーツ２の分解斜視図である。ポケットパーツ２は、外筒２００と、内筒２１０とを備える。
【００１６】
外筒２００は、中心軸Ｃを中心とする円筒形状の周壁２０１と、周壁２０１の径方向内側表面から径方向内向きに突出した仕切りリブ２０２とを備える。仕切りリブ２０２は、軸方向に、外筒２００の略全長にわたって延びている。図示の例では、外筒２００は、１４本の仕切りリブ２０２を備える。周壁２０１は、錠剤の数を確認するために、透明な材料で形成されてもよい。
【００１７】
内筒２１０は、中心軸Ｃを中心とする円筒形状の周壁２１１を備える。周壁２１１の径方向内側は中空になっている。周壁２１１の径方向外側表面には、軸方向に延びる１４本の溝２１２が、周方向に等間隔に形成されている。内筒２１０と外筒２００とを組み立てる際、外筒２００の仕切りリブ２０２が内筒２１０の溝２１２を軸方向に滑る。外筒２００の仕切りリブ２０２と内筒２１０の溝２１２とが噛み合い、外筒２００は、内筒２１０に対して周方向に回転しない。
【００１８】
周方向に隣接する仕切りリブ２０２は、その周方向の間に錠剤を収納できるポケット２０３を形成する。ポケット２０３は、軸方向に一列に並んだ１６錠の錠剤がちょうど収まるだけの寸法を有する。例えば、ポケット２０３の軸方向の長さは、錠剤の直径に１６を乗じたものに概ね等しい。
【００１９】
内筒２１０は、下端に円板形状の天板部２２０を有する。なお、天板部２２０は、後述の使用時においては内筒２１０の上端となる。天板部２２０には、開口部２１３が形成されている。開口部２１３には、後述のヒンジキャップ４のジョイントパーツ４１０が挿入され、開口部２１３はヒンジキャップ４の固定に用いられる。
【００２０】
内筒２１０の下端付近には、軸方向に延びる溝部２１４が形成されている。図示の例では、２本の溝部２１４が形成されている。２つの溝部２１４は、中心軸Ｃを挟んで対向する位置に配置されている。溝部２１４には、後述の組立て動作において、装填治具３の本体３００のガイド凸部３０５が、軸方向から挿入される。このように、溝部２１４は、装填治具３の本体３００の固定に用いられる。
【００２１】
内筒２１０の下端付近の表面には、１つのポケット２０３に収納される錠剤の数を示す錠数マーク２１９が表示されてもよい。これにより、操作者や使用者は、１つのポケット２０３に収納される錠剤の数を容易に、すなわちポケット２０３に収納された錠剤の数を実際に数えなくても、知ることができる。
【００２２】
ポケットパーツ２は、内筒２１０の上端の開口部を塞ぐための蓋２３０を備えてもよい。
【００２３】
［１−３．装填治具］
次に、図４を参照して、装填治具３について説明する。図４は、装填治具３の分解斜視図である。装填治具３は、本体３００と、開閉部３１０と、蓋３２０とを備える。
【００２４】
本体３００は、中心軸Ｃを中心とする円筒形状の外周壁３０１と、中心軸Ｃを中心とする、外周壁３０１より小さな半径を有する内周壁３０２とを備える。外周壁３０１と内周壁３０２との間には、径方向に伸びる１４本の仕切り３０３が形成されている。外周壁３０１と、内周壁３０２と、周方向に隣接する２本の仕切り３０３とは、経路３０４を形成する。したがって、本体３００は、１４個の経路３０４を有する。
【００２５】
各経路３０４は、錠剤が１つだけ通る寸法に設計される。すなわち、外周壁３０１の径方向内側表面の半径と、内周壁３０２の径方向外側表面の半径との差、及び隣接する２本の仕切り３０３間の周方向の距離は、錠剤が１つだけ経路３０４を通り抜けることができるように（２つの錠剤が同時に通り抜けることがないように）設計される。
【００２６】
本体３００の内周壁３０２の下端には、蓋３２０が嵌め合わされる。これにより、装填治具３の下方の錠剤容器９から装填治具３の内周壁３０２の内側への錠剤の経路が遮断される。錠剤容器９からの錠剤は、内周壁３０２から径方向内側に位置する本体３００の中空部分を通らずに、外周壁３０１と内周壁３０２との間を通る。
【００２７】
本体３００の内周壁３０２の上端には、内周壁３０２の径方向内側表面から中心軸Ｃに向かって延びたガイド凸部３０５が形成されている。図示の例では、２つのガイド凸部３０５が形成されている。２つのガイド凸部３０５は、中心軸Ｃを挟んで対向する位置に配置されている。本体３００のガイド凸部３０５は、後述の開閉部３１０のガイド溝部３１４に嵌め合わされる。
【００２８】
開閉部３１０は、全ての経路３０４を塞いで経路３０４を介した錠剤の軸方向の移動を防止する装填治具３の閉状態と、全ての経路３０４を解放して経路３０４を介した錠剤の軸方向の移動を可能にする開状態と、を切り換える機能を有する。
【００２９】
開閉部３１０は、中心軸Ｃを中心とする円板形状の天板部３１１を備える。天板部３１１には、中心軸Ｃを中心とする円形の開口部３１２が設けられている。開閉部３１０は、天板部３１１の開口部３１２の周縁から下方に延びた周壁３１３を更に備える。周壁３１３は、中心軸Ｃを中心とする円筒形状である。
【００３０】
中心軸Ｃから開閉部３１０の周壁３１３の径方向外側表面までの距離（半径）は、中心軸Ｃから本体３００の内周壁３０２の径方向内側表面までの距離（半径）より小さい。したがって、開閉部３１０を本体３００の上に乗せると、開閉部３１０の周壁３１３が本体３００の内周壁３０２に挿入される。開閉部３１０の周壁３１３が本体３００の内周壁３０２に隙間無く挿入されるために、中心軸Ｃから開閉部３１０の周壁３１３の径方向外側表面までの距離（半径）は、中心軸Ｃから本体３００の内周壁３０２の径方向内側表面までの距離（半径）と略同一であってもよい。
【００３１】
開閉部３１０の周壁３１３には、軸方向に延びるスリットであるガイド溝部３１４が形成されている。図示の例では、２本のガイド溝部３１４が形成されている。２つのガイド溝部３１４は、中心軸Ｃを挟んで対向する位置に配置されている。開閉部３１０を本体３００の上に乗せて組み立てる際、開閉部３１０のガイド溝部３１４には、本体３００のガイド凸部３０５が嵌め合わされる。すなわち、開閉部３１０のガイド溝部３１４と、本体３００のガイド凸部３０５とが、周方向に関して所定の相対位置にある場合に限り、開閉部３１０のガイド溝部３１４に本体３００のガイド凸部３０５を嵌め合わせることができる。このように、開閉部３１０のガイド溝部３１４と、本体３００のガイド凸部３０５とは、開閉部３１０と本体３００との間の相対位置を決定する位置決め機能を有する。
【００３２】
開閉部３１０のガイド溝部３１４の上端には、周方向に伸びる切欠き部３１５が形成されている。これにより、組み立てられた後、開閉部３１０は、本体３００に対して所定の角度だけ中心軸Ｃを中心として回転することができる。回転前の装填治具３の状態は前述の開状態に対応し、回転後の状態は閉状態に対応する。このようにして、開閉部３１０は、本体３００に対する回転前の開状態と、回転後の閉状態とを切り換えることができる。
【００３３】
開閉部３１０の天板部３１１には、周方向に並んだ１４個の開口部である経路３１６が形成されている。周方向に隣接する経路３１６の間にある径方向に延びた部分を、ストッパ３１７と呼ぶ。開閉部３１０は、１４本のストッパ３１７を備える。各経路３１６は、錠剤が１つだけ通る寸法に設計される。
【００３４】
装填治具３の開状態においては、開閉部３１０の経路３１６は、本体３００の経路３０４に軸方向に重なる。したがって、装填治具３の開状態においては、錠剤は、開閉部３１０の経路３１６と、本体３００の経路３０４と、を通り抜けて軸方向に移動することができる。
【００３５】
装填治具３の閉状態においては、開閉部３１０の各ストッパ３１７は、それぞれ対応する本体３００の経路３０４を塞ぐ。これにより、本体３００の経路３０４の全てが塞がれ、錠剤は、本体３００の経路３０４を通り抜けて軸方向に移動することができない。
【００３６】
［１−４．ヒンジキャップ］
前述のように、図１に示したようにポケットパーツ２、装填治具３及び錠剤容器９が組み立てられた状態において、これらを倒立させると、錠剤容器９内の錠剤がポケットパーツ２に装填される。
【００３７】
図５は、本実施形態に係る計量容器１を示す斜視図である。計量容器１は、ポケットパーツ２と、ポケットパーツ２に取り付けられて蓋をするヒンジキャップ４とを備える。図５では、ヒンジキャップ４は閉じている。図６は、図５の計量容器１の分解斜視図である。図６では、ヒンジキャップ４は開いている。
【００３８】
図６に示すように、ヒンジキャップ４は、本体４００と、本体４００をポケットパーツ２に結合するためのジョイントパーツ４１０とを備える。本体４００には開口部４０１が形成されている。ジョイントパーツ４１０は、開口部４０１及びポケットパーツ２の開口部２１３の両方に挿入され、ヒンジキャップ４の本体４００とポケットパーツ２とが軸方向に分離しないように結合する。後述のように、ヒンジキャップ４の本体４００は、中心軸Ｃを中心として、ポケットパーツ２に対して周方向に回転可能に結合される。
【００３９】
ヒンジキャップ４の本体４００には、開口部である錠剤の経路４０２が形成されている。経路４０２は、その中を錠剤が通過可能な寸法に設計される。ポケットパーツ２のポケット２０３に装填された錠剤は、経路４０２が適切に位置合わせされた場合に、経路４０２を経由して外部に出ることができる。経路４０２の径方向外側にある本体４００の表面には、経路４０２の位置を示すマーク４０６が形成されている。図示の例では、マーク４０６は、頂点を下方に向けた逆三角形の形状を有する。使用者は、マーク４０６によって、経路４０２の位置を知ることができる。経路４０２は、キャップ部４０９が閉じることによって閉鎖される。
【００４０】
ヒンジキャップ４は、本開示の「収納部選択部」の一例である。
【００４１】
開口部４０１の上部には、円柱形状の空洞４０５が形成されている。空洞４０５の縁である本体４００の径方向内側壁面には、そこから径方向内向きに突出した１４個の突出部４０３が形成されている。周方向に隣接する突出部４０３の間の領域を溝４０４と呼ぶ。溝４０４は、軸方向に延びた溝である。
【００４２】
また、ジョイントパーツ４１０には、径方向外向きに突出した爪４１２が形成されている。ジョイントパーツ４１０は、中心軸Ｃを介して対向する位置に２つの爪４１２を有する。爪４１２は、ジョイントパーツ４１０から径方向外向きに突出し、その後反時計回りに曲がっている。したがって、爪４１２は、周方向に向いた端部４１３を有する。
【００４３】
ヒンジキャップ４の本体４００とジョイントパーツ４１０とが組み立てられると、本体４００の溝４０４には、ジョイントパーツ４１０の爪４１２の先端が嵌め合わされる。本体４００の溝４０４と、ジョイントパーツ４１０の爪４１２とは、ラチェット機構を構成し、本体４００はジョイントパーツ４１０に対して反時計回りに回転することはできるが、時計回りに回転することはできない。
【００４４】
［２．動作］
図７〜３６を参照して、上記のように組み立てられたポケットパーツ２及び装填治具３の動作について説明する。
【００４５】
［２−１．組立て動作］
操作者は、錠剤容器９に装着された装填治具３に、図７に示すように更にポケットパーツ２を被せる。操作者は、ポケットパーツ２に錠剤を装填して使用準備を整える者であり、例えば医師、薬剤師等の医療従事者である。装填治具３にポケットパーツ２を被せる際には、ポケットパーツ２の内筒２１０の溝部２１４に、装填治具３の本体３００のガイド凸部３０５が、軸方向から挿入される。
【００４６】
その後、操作者は、ポケットパーツ２を装填治具３に対して時計回りに回転させる。ポケットパーツ２が装填治具３に対して時計回りに回転すると、装填治具３のガイド凸部３０５が、ポケットパーツ２の溝部２１４の周方向端部にある壁面２１５に接触する。ポケットパーツ２は、装填治具３に対して時計回りには、それ以上は回転しない。この状態は、前述の開状態に対応する。開状態では、錠剤容器９と装填治具３とは、図１に示したように組み立てられている。開状態においては、装填治具３の本体３００の各経路３０４と、装填治具３の開閉部３１０の各経路３１６と、ポケットパーツ２の各ポケット２０３とが、それぞれ一直線に整列するように位置合わせされる。これにより、錠剤は、錠剤容器９からポケットパーツ２のポケット２０３まで移動することができる。
【００４７】
開状態においては、装填治具３のガイド凸部３０５の下側には、径方向外向きに突出したポケットパーツ２の溝部２１４の突出部２１６がある。したがって、ポケットパーツ２を反時計回りに回転させるには抵抗があり、ポケットパーツ２の天板部２２０が装填治具３のガイド凸部３０５の障害となるため、ポケットパーツ２は、装填治具３に対して軸方向上向きに移動できない。したがって、開状態では、ポケットパーツ２に対して反時計回りに回転させる所定の大きさの力を与えなければ、ポケットパーツ２が装填治具３から分離することはない。
【００４８】
［２−２．錠剤装填動作］
図１に示したようなポケットパーツ２、装填治具３及び錠剤容器９を開状態のまま倒立させて倒立状態にすると、錠剤容器９内の錠剤がポケットパーツ２に装填される。図８は、倒立状態（かつ開状態）のポケットパーツ２、装填治具３及び錠剤容器９を示す斜視図である。図９は、図８のポケットパーツ２、装填治具３及び錠剤容器９を、図８の紙面の下方から見た底面図である。図１０は、図９のポケットパーツ２、装填治具３及び錠剤容器９をＸ−Ｘ方向に見た断面図である。
【００４９】
図８及び図１０に示すように、円柱形状の錠剤Ｔは、その厚さ方向が中心軸Ｃに垂直になるようにポケットパーツ２に装填される。ポケットパーツ２のポケット２０３（図３）、装填治具３の開閉部３１０の経路３１６、及び装填治具３の本体３００の経路３０４（図４）の寸法は、錠剤Ｔの厚さ方向が中心軸Ｃに垂直でなければ錠剤Ｔが通過できないように設計されている。錠剤Ｔをポケットパーツ２に装填する際には、装填治具３の蓋３２０は、厚さ方向が中心軸Ｃに垂直になるように錠剤Ｔの向きを調整する機能を有する。
【００５０】
錠剤Ｔをポケットパーツ２に装填するために、操作者は、倒立状態のポケットパーツ２、装填治具３及び錠剤容器９を軽く振ってもよい。
【００５１】
［２−３．分離動作］
錠剤Ｔをポケットパーツ２に装填した後、操作者は、錠剤容器９に装着された装填治具３を、ポケットパーツ２から分離する。その際、操作者は、装填治具３をポケットパーツ２に対して反時計回りに回転させる。これにより、図１１に示すように、装填治具３の本体３００のガイド凸部３０５と、ポケットパーツ２の溝部２１４と、が軸方向に一直線に並び、装填治具３を、ポケットパーツ２から分離することができる。
【００５２】
分離時には、装填治具３の開閉部３１０のストッパ３１７は、本体３００の経路３０４を塞いでおり、装填治具３は閉状態となっている。以下、装填治具３をポケットパーツ２に対して反時計回りに回転させることによって装填治具３が閉状態となる仕組みについて説明する。
【００５３】
図１２は、開状態における装填治具３とポケットパーツ２との結合部の周辺の端面図である。図１２（ａ）は、装填治具３とポケットパーツ２との結合部の周辺を図９のＷ−Ｗ方向に見た端面図である。図１２（ｂ）は、装填治具３とポケットパーツ２との結合部の周辺を図９のＺ−Ｚ方向に見た端面図である。図１２（ｃ）は、装填治具３とポケットパーツ２との結合部の周辺を図９のＹ−Ｙ方向に見た端面図である。図１２（ｄ）は、図１０のポケットパーツ２及び装填治具３をＸＩＩ−ＸＩＩ方向に見た端面図である。
【００５４】
図１２に示した開状態では、装填治具３の本体３００の各経路３０４と、装填治具３の開閉部３１０の各経路３１６と、ポケットパーツ２の各ポケット２０３とが、それぞれ一直線に整列するように位置合わせされる。装填治具３の開閉部３１０の周方向の位置がずれて、ストッパ３１７が錠剤Ｔの通過を妨げることを防止するために、装填治具３の開閉部３１０と本体３００とが開状態において噛み合って固定するための機構が設けられている。すなわち、図１２（ｄ）に示すように、装填治具３の本体３００の内周壁３０２の径方向内側表面には、径方向外向きに凹んだ第１凹部３０２ａが形成され、開閉部３１０の周壁３１３の径方向外側表面には、開状態において第１凹部３０２ａと噛み合うように径方向外向きに突出した凸部３１８が形成されている。第１凹部３０２ａと凸部３１８とが噛み合っている場合、装填治具３の本体３００の各経路３０４と、装填治具３の開閉部３１０の各経路３１６とが軸方向に一直線に整列するように位置合わせされ、装填治具３の開閉部３１０のストッパ３１７が錠剤Ｔの通過を妨げることはない。
【００５５】
開状態では、図１２（ｂ）に示すように、装填治具３の本体３００のガイド凸部３０５は、ポケットパーツ２の内筒２１０の溝部２１４の周方向端部にある壁面２１５に接触している。
【００５６】
図１３は、図１２に示した開状態から、ポケットパーツ２に対して装填治具３が反時計回りに０．０１π［ｒａｄ］だけ回転した状態を示す端面図である。図１３（ａ）は、装填治具３とポケットパーツ２との結合部の周辺を図９のＷ−Ｗ方向に見た端面図である。図１３（ｂ）は、装填治具３とポケットパーツ２との結合部の周辺を図９のＺ−Ｚ方向に見た端面図である。図１３（ｃ）は、装填治具３とポケットパーツ２との結合部の周辺を図９のＹ−Ｙ方向に見た端面図である。
【００５７】
図１３（ａ）では、装填治具３の開閉部３１０のストッパ３１７が、錠剤Ｔであって装填治具３の本体３００の経路３０４の最下端にあるものに接触している。図１３（ｂ）では、図１２（ｂ）と比較すると、装填治具３の本体３００のガイド凸部３０５は、ポケットパーツ２の内筒２１０の溝部２１４の周方向端部にある壁面２１５から離れて、ポケットパーツ２に対して反時計回り（紙面に向かって右方向）に移動している。
【００５８】
図１４は、図１２に示した開状態から、ポケットパーツ２に対して装填治具３が反時計回りに０．０２π［ｒａｄ］だけ回転した状態を示す端面図である。図１４（ａ）は、装填治具３とポケットパーツ２との結合部の周辺を図９のＷ−Ｗ方向に見た端面図である。図１４（ｂ）は、装填治具３とポケットパーツ２との結合部の周辺を図９のＺ−Ｚ方向に見た端面図である。図１４（ｃ）は、装填治具３とポケットパーツ２との結合部の周辺を図９のＹ−Ｙ方向に見た端面図である。図１４（ｄ）は、ポケットパーツ２及び装填治具３を図１２（ｄ）と同様の方向に見た端面図である。
【００５９】
この状態では、図１４（ｄ）に示すように、装填治具３の開閉部３１０の凸部３１８は、第１凹部３０２ａに周方向に隣接して形成された第２凹部３０２ｂと噛み合う。これにより、開閉部３１０の各ストッパ３１７は、それぞれ対応する本体３００の経路３０４を塞ぎ、錠剤Ｔが本体３００の経路３０４を通り抜けて軸方向に移動すること（落下すること）を防ぐ。このようにして、装填治具３をポケットパーツ２に対して反時計回りに回転させることによって、装填治具３が閉状態となる。
【００６０】
図１５は、図１２に示した開状態から、ポケットパーツ２に対して装填治具３が反時計回りに０．１６π［ｒａｄ］だけ回転した状態を示す端面図である。図１５の状態は、前述の閉状態に対応する。図１５（ａ）は、装填治具３とポケットパーツ２との結合部の周辺を図９のＷ−Ｗ方向に見た端面図である。図１５（ｂ）は、装填治具３とポケットパーツ２との結合部の周辺を図９のＺ−Ｚ方向に見た端面図である。図１５（ｃ）は、装填治具３とポケットパーツ２との結合部の周辺を図９のＹ−Ｙ方向に見た端面図である。
【００６１】
この状態では、図１５（ｂ）に示すように、装填治具３の本体３００のガイド凸部３０５は、ポケットパーツ２の内筒２１０の壁面２１５と周方向に対向する壁面２１７に接触している。装填治具３の本体３００のガイド凸部３０５の上部には、ポケットパーツ２の溝部２１４の突出部２１６がないため、ポケットパーツ２は、図１６に示すように、装填治具３に対して軸方向上向きに移動することができる。このようにして、装填治具３の本体３００の経路３０４を介して錠剤Ｔを落下させることなく、装填治具３をポケットパーツ２から分離することができる。
【００６２】
［２−４．ヒンジキャップの取付動作］
ポケットパーツ２から装填治具３を分離した後、ポケットパーツ２には、図１７に示すように、ヒンジキャップ４が取り付けられる。操作者は、ポケットパーツ２の上からヒンジキャップ４を被せる。この際、ヒンジキャップ４のジョイントパーツ４１０の下端が、ポケットパーツ２の開口部２１３に挿入される。
【００６３】
図１７に示すように、ポケットパーツ２の天板部２２０の裏面には、下向きに突出した固定リブ２１８が形成されている。固定リブ２１８は、周壁２１１の径方向内側表面から延びている。固定リブ２１８は、後述のように、ヒンジキャップ４のジョイントパーツ４１０の固定具４１１と協働して、ヒンジキャップ４がポケットパーツ２に取り付けられた後、ヒンジキャップ４がポケットパーツ２に対して反時計回りに回転しないように、ヒンジキャップ４を固定する。
【００６４】
図１８は、図１７に示したようにポケットパーツ２の上からヒンジキャップ４を被せた状態を示す斜視図である。図１９は、図１８に示した計量容器１の平面図である。図２０は、図１８に示した計量容器１の正面図の一部である。図２１は、図２０のヒンジキャップ４をＸＸＩ−ＸＸＩ方向に見た端面図である。図２２は、図２０のヒンジキャップ４をＸＸＩＩ−ＸＸＩＩ方向に見た端面図である。図２３は、図１９の計量容器１をＸＸＩＩＩ−ＸＸＩＩＩ方向に見た端面図である。
【００６５】
操作者は、ポケットパーツ２の上からヒンジキャップ４を被せた後、ヒンジキャップ４をポケットパーツ２に対して時計回りに９０°回転させる。図２４は、このように図１９の状態からヒンジキャップ４をポケットパーツ２に対して時計回りに９０°回転させた後の計量容器１の状態を示す斜視図である。図２５は、図２４に示した計量容器１の平面図である。図２６は、図２４に示した計量容器１の正面図の一部である。図２７は、図２６のヒンジキャップ４をＸＸＶＩＩ−ＸＸＶＩＩ方向に見た端面図である。図２８は、図２６のヒンジキャップ４をＸＸＶＩＩＩ−ＸＸＶＩＩＩ方向に見た端面図である。図２９は、図２５の計量容器１をＸＸＩＸ−ＸＸＩＸ方向に見た端面図である。
【００６６】
図２７を参照してわかるように、ヒンジキャップ４を時計回りに回転させるために操作者がヒンジキャップ４の本体４００に力を加えると、本体４００の突出部４０３の周方向の端部が、ジョイントパーツ４１０の爪４１２の端部４１３を押す。したがって、時計回りの力はジョイントパーツ４１０にも伝わり、ジョイントパーツ４１０も本体４００と共に回転する。
【００６７】
図２３と図２９とを比較すると、ヒンジキャップ４のジョイントパーツ４１０の固定具４１１が時計回りに回転し、図２３及び図２９の紙面に向かって左方に移動している。図２９では、ヒンジキャップ４のジョイントパーツ４１０の固定具４１１は、ポケットパーツ２の固定リブ２１８を乗り越えている（図２８も参照）。したがって、この後に、ヒンジキャップ４の本体４００をポケットパーツ２に対して反時計回りに回転させても、ヒンジキャップ４のジョイントパーツ４１０の固定具４１１とポケットパーツ２の固定リブ２１８とが接触しているため、ジョイントパーツ４１０はポケットパーツ２に対して反時計回りに回転しない。
【００６８】
［２−５．使用動作］
図２４〜図２９に示した計量容器１は、例えば医師や薬剤師等の操作者から、消費者や患者等の使用者に手渡され、使用者によって使用される。
【００６９】
図２４〜図２９に示した計量容器１においては、ヒンジキャップ４の本体４００に、ポケットパーツ２に対して反時計回りの力を加えると、本体４００は反時計回りに回転する。一方、ジョイントパーツ４１０はポケットパーツ２に固定されているため、回転しない。このように、ポケットパーツ２に対して、ジョイントパーツ４１０は回転せずに、本体４００のみが反時計回りに回転する。
【００７０】
図２７に示したようにヒンジキャップ４のジョイントパーツ４１０の爪４１２が本体４００の溝４０４に嵌め合わされている場合、経路４０２とポケットパーツ２のポケット２０３とは一直線に並んでいる。したがって、ポケットパーツ２の中に収納された錠剤Ｔは、経路４０２を介して外部に出ることができる。
【００７１】
ヒンジキャップ４の本体４００をポケットパーツ２に対して反時計回りに回転させると、ジョイントパーツ４１０の爪４１２が本体４００の突出部４０３を乗り越えて溝４０４に嵌め合わされた際に、クリック感を得ることができ、及び／又は、カチカチというクリック音を聞くことができる。ジョイントパーツ４１０の爪４１２が板ばねとして機能するからである。これにより、使用者は、ヒンジキャップ４のジョイントパーツ４１０の爪４１２を、本体４００の溝４０４に、容易に位置合わせすることができる。
【００７２】
ヒンジキャップ４のジョイントパーツ４１０の爪４１２を、本体４００の溝４０４に位置合わせして嵌め合わせた後、使用者は、図３０に示すように、ヒンジキャップ４のキャップ部４０９を開けてから計量容器１を倒立させて、ポケットパーツ２のポケット２０３のうちの１つから、錠剤Ｔを取り出す。
【００７３】
錠剤Ｔを取り出した後、使用者は、ヒンジキャップ４のキャップ部４０９を閉め、ヒンジキャップ４の本体４００をポケットパーツ２に対して反時計回りに回転させ、ヒンジキャップ４の本体４００に表示されたマーク４０６を、次のポケットパーツ２のポケット２０３の上部に移動させる。
【００７４】
図３１は、このように次のポケットパーツ２のポケット２０３の上部にマーク４０６を移動させた状態の計量容器１を示す斜視図である。図３２は、図３１に示した計量容器１の平面図である。図３３は、図３２に示した計量容器１の正面図の一部である。図３４は、図３３のヒンジキャップ４をＸＸＸＩＶ−ＸＸＸＩＶ方向に見た端面図である。図３５は、図３３のヒンジキャップ４をＸＸＸＶＩ−ＸＸＸＶＩ方向に見た端面図である。図３６は、図３２の計量容器１をＸＸＩＸ−ＸＸＩＸ方向に見た端面図である。
【００７５】
図２５〜２９と比較すると、図３２〜３６に示した状態では、ヒンジキャップ４の本体４００が反時計回りに回転しており、特に図３４及び図３５を参照すると、本体４００の経路４０２が移動していることが分かる。一方、図３１及び図３４〜３６を参照してわかるように、ヒンジキャップ４のジョイントパーツ４１０及びポケットパーツ２は、回転していない。
【００７６】
［３．効果等］
以上のように、本実施形態に係る計量容器１は、それぞれが１６錠の錠剤を収納できる１４個のポケット２０３を備えるポケットパーツ２と、ポケットパーツ２に装着されるヒンジキャップ４とを備える。ヒンジキャップ４は、錠剤を一端から外部に通過させることができる第２経路４０２を備える。ヒンジキャップ４の第２経路４０２の一端は、外部に接続され、他端は、収納部２０３のうちの１つに選択的に接続される。
【００７７】
例えば、ポケットパーツ２の複数のポケット２０３は、中心軸Ｃを中心として周方向に配列される。各ポケット２０３は、軸方向に一列に並んだ１６錠の錠剤が収まる寸法を有する。
【００７８】
このような構成の計量容器１により、使用者は、所定の数、例えば１６錠の錠剤を一度に取り出すことができる。計量容器１を倒立させると、ヒンジキャップ４の第２経路４０２から１６錠の錠剤が出るため、使用者が錠剤を数える必要はない。ポケットパーツ２は、１４個のポケット２０３を有するため、追加の錠剤装填を行うことなく、例えば、１日に朝及び夜の２回錠剤を服用することを１週間続ける場合の用量に相当する、１４回分の用量の錠剤を収納できる。
【００７９】
装填治具３は、計量容器１に錠剤を装填するために用いられる。装填治具３は、ポケットパーツ２のポケット２０３に外部からの錠剤を通過させることができるように接続される第１経路３０４を備える。装填治具３は、収納容器２に着脱可能に装着される。
【００８０】
装填治具３は、第１経路３０４を介して外部からの錠剤を通過させる開状態と、第１経路３０４を介して外部からの錠剤を通過させない閉状態と、を切り換える開閉部３１０を更に備えてもよい。例えば、開閉部３１０は、装填治具３をポケットパーツ２から取り外す動作によって閉状態となる。
【００８１】
このような構成により、装填治具３の本体３００の経路３０４を介して錠剤Ｔを落下させることなく、装填治具３をポケットパーツ２から分離することができる。
【００８２】
装填治具３は、錠剤容器９に着脱可能に装着されてもよい。この場合、ポケットパーツ２のポケット２０３は、装填治具３の第１経路３０４を介して錠剤容器９の内部に接続される。
【００８３】
このような構成により、医師や薬剤師等の操作者は、簡単な操作によってポケットパーツ２のポケット２０３に錠剤を装填することができる。例えば、操作者は、ポケットパーツ２と装填治具３と錠剤容器９とを組み立てた後でこれを倒立させるだけで、錠剤容器９の内部の錠剤Ｔをポケットパーツ２のポケット２０３に錠剤を装填することができる。これにより、多数の錠剤を一度の用量毎に仕分けるための操作者の手間や工数を削減することができる。
【００８４】
装填治具３の第１経路３０４は、中心軸Ｃを中心として周方向に配列された、複数のポケット２０３と同数の開口部であり、ポケットパーツ２に装着された場合にポケット２０３に軸方向に重なる。装填治具３の開閉部３１０は、中心軸Ｃを中心として周方向に配列された、複数のポケット２０３と同数の第３経路３１６と、周方向に隣接する第３経路３１６の間にあるストッパ３１７とを有してもよい。また、装填治具３の開閉部３１０は、例えば、装填治具３をポケットパーツ２から取り外す動作によって中心軸Ｃを中心として回転し、ストッパ３１７を第１経路３０４に軸方向に隣接して配置して第１経路３０４を塞ぐ。
【００８５】
本実施形態に係る計量容器１（ポケットパーツ２及びヒンジキャップ４）と装填治具３とは、例えば計量容器キットとして販売される。医師や薬剤師等の操作者が計量容器キットを購入し、装填治具３を用いてポケットパーツ２に錠剤Ｔを装填する。次に、操作者はポケットパーツ２から装填治具３を取り外して、ポケットパーツ２にヒンジキャップ４を取り付け、これを患者等の使用者に手渡す。
【００８６】
［４．変形例］
以上、本発明の実施形態について説明した。もっとも、上記の説明は本発明の例示であり、本発明の範囲を逸脱しない限り、本発明の実施形態には改良や変形を行うことができる。
【００８７】
［４−１．変形例１］
上記の実施形態では、各ポケット２０３（図３参照）に１６錠の錠剤が収納されるポケットパーツ２について説明した。しかしながら、各ポケット２０３に収納される錠剤の数はこれに限定されず、１つ以上であればよい。図３７は、各ポケット２０３（図３参照）に２錠の錠剤が収納されるように設計されたポケットパーツ２の内筒２５０を示す斜視図である。内筒２５０は、図３に示した内筒２１０と比較して底上げされた底面２５１を有する。ポケット２０３の上端と底面２５１との間の距離は、例えば錠剤の直径に２を乗じた数に概ね等しい。
【００８８】
内筒２５０の上端付近の表面には、１つのポケット２０３に収納される錠剤の数である「２」を示す錠数マーク２５２が表示されている。
【００８９】
このように、ポケット２０３に収納される錠剤の数につき、様々な数に対応した内筒を準備しておけば、別の錠剤数に対応した新しい内筒を外筒に接続するだけで、例えば、患者に応じた服用数に対応することができる。
【００９０】
［４−２．変形例２］
上記の実施形態では、錠剤容器９に着脱可能に装着される装填治具３について説明した。しかしながら、装填治具３は錠剤容器９に着脱可能に装着されるものに限定されない。例えば、操作者が錠剤を装填治具３に注ぐことによって、ポケットパーツ２に錠剤を装填してもよい。
【符号の説明】
【００９１】
１  計量容器
２  ポケットパーツ（収納容器）
３  装填治具
４  ヒンジキャップ（収納部選択部）
９  錠剤容器
２００  外筒
２０１  周壁
２０２  リブ
２０３  収納部
２０３  ポケット
２１０  内筒
２１１  周壁
２１２  溝
２１３  開口部
２１４  溝部
２１５  壁面
２１６  突出部
２１７  壁面
２１８  固定リブ
２１９  錠数マーク
２２０  天板部
２３０  蓋
２５０  内筒
２５１  底面
２５２  錠数マーク
３００  本体
３０１  外周壁
３０２  内周壁
３０２ａ  第１凹部
３０２ｂ  第２凹部
３０４  第１経路
３０５  ガイド凸部
３１０  開閉部
３１１  天板部
３１２  開口部
３１３  周壁
３１４  ガイド溝部
３１５  切欠き部
３１６  第３経路
３１７  ストッパ
３１８  凸部
３２０  蓋
４００  本体
４０１  開口部
４０２  第２経路
４０３  突出部
４０４  溝
４０５  空洞
４０６  マーク
４０９  キャップ部
４１０  ジョイントパーツ
４１１  固定具
４１２  爪
４１３  端部
【図１】
2020179861.tif 000003
【図２】
2020179861.tif 000004
【図３】
2020179861.tif 000005
【図４】
2020179861.tif 000006
【図５】
2020179861.tif 000007
【図６】
2020179861.tif 000008
【図７】
2020179861.tif 000009
【図８】
2020179861.tif 000010
【図９】
2020179861.tif 000011
【図１０】
2020179861.tif 000012
【図１１】
2020179861.tif 000013
【図１２】
2020179861.tif 000014
【図１３】
2020179861.tif 000015
【図１４】
2020179861.tif 000016
【図１５】
2020179861.tif 000017
【図１６】
2020179861.tif 000018
【図１７】
2020179861.tif 000019
【図１８】
2020179861.tif 000020
【図１９】
2020179861.tif 000021
【図２０】
2020179861.tif 000022
【図２１】
2020179861.tif 000023
【図２２】
2020179861.tif 000024
【図２３】
2020179861.tif 000025
【図２４】
2020179861.tif 000026
【図２５】
2020179861.tif 000027
【図２６】
2020179861.tif 000028
【図２７】
2020179861.tif 000029
【図２８】
2020179861.tif 000030
【図２９】
2020179861.tif 000031
【図３０】
2020179861.tif 000032
【図３１】
2020179861.tif 000033
【図３２】
2020179861.tif 000034
【図３３】
2020179861.tif 000035
【図３４】
2020179861.tif 000036
【図３５】
2020179861.tif 000037
【図３６】
2020179861.tif 000038
【図３７】
2020179861.tif 000039